(57)【要約】      （修正有）【課題】床用目地プレートが傾斜状態で上方へ移動しても、壁面用目地装置が損傷するのを効率よく阻止することができる目地装置を提供する。【解決手段】左右の躯体４の床目地部２を覆う床用目地プレートを用いた床用目地装置５と、壁面間の目地部３を覆う壁面用目地プレート１７を用いた壁面用目地装置６とを備える目地装置１において、壁面用目地装置６を、壁面間の目地部３を覆う壁面用目地プレート本体２０と、下端部が床用目地プレート上に位置する壁面用目地プレート本体２０にスライド移動可能に取付けられたスライドカバー２３と、スライドカバー２３の床用目地プレートの先端部側の一端部が上方へ押し上げられると、他端部も同じように上方へ移動させることができるとともに、一端部の押し上げがなくなると自重で降下させることができるように、壁面用目地プレート本体２０に取付けられた吊り上げ機構２４とで目地装置１を構成している。【選択図】図２
2014055444.tif 000002
【特許請求の範囲】
【請求項１】
目地部を介して設けられた左右の躯体の床目地部を覆う床目地部が、地震で狭くなるように揺れ動くと先端部が上方へ回動して、その揺れ動きを吸収する床用目地プレートを用いた床用目地装置と、前記左右の躯体の壁面間の目地部を覆う壁面用目地プレートを用いた壁面用目地装置とを備える目地装置において、前記壁面用目地装置を、下端部を除く壁面間の目地部を覆う壁面用目地プレート本体と、この壁面用目地プレート本体の下部の壁面間の目地部を覆い、かつ下端部が前記床用目地プレート上に位置する、該壁面用目地プレート本体にスライド移動可能に取付けられたスライドカバーと、このスライドカバーの前記床用目地プレートの先端部側の一端部が上方へ押し上げられると、他端部も同じように上方へ移動させることができるとともに、該一端部の押し上げがなくなると自重で降下させることができるように、前記壁面用目地プレート本体に取付けられた吊り上げ機構とで構成したことを特徴とする目地装置。
【請求項２】
吊り上げ機構は壁面用目地プレート本体の下部をスライド可能に覆うことができる箱状のスライドカバーの底面より外方に突出させて取付け片の両側部寄りの部位に垂直状態で固定された一対のガイド筒と、この一対のガイド筒にスライド移動可能に下端部が挿入された壁面用目地プレート本体の背面に上端部が取付けられた一対のガイド軸と、前記スライドカバーの一端部側の前記ガイド筒の上部に一端部が固定され、該固定部より下部位置の壁面用目地プレート本体の背面に取付けられた第１の滑車、この第１の滑車より上部位置の壁面用目地プレート本体の背面に取付けられた第２の滑車、この第２の滑車とほぼ平行でかつ前記スライドカバーの他端部側の前記ガイド筒の上部に取り付けられた第３の滑車を通過して、前記他端部側の前記ガイド筒に取付けられたワイヤーとで構成されていることを特徴とする請求項１記載の目地装置。
【請求項３】
吊り上げ機構の第１の滑車、第２の滑車、第３の滑車は壁面用目地プレート本体の背面に取付け似れた取付け板に取り付けられていることを特徴とする請求項２記載の目地装置。
【請求項４】
壁面用目地プレート本体は長方形状のフレームと、このフレームに取付けられたタイルや石材の壁面材とで構成されていることを特徴とする請求項１記載の目地装置。
【発明の詳細な説明】
【技術分野】
【０００１】
本発明は目地部を介して設けられた左右の躯体間の床目地部と壁目地部を覆う目地装置に関する。
【背景技術】
【０００２】
従来、左右の躯体の床目地部は地震で床目地部が狭くなるように揺れ動くと、先端部が上方へ回動しながらスライド移動して、その揺れ動きを吸収する床用目地プレートを用いた床目地装置が使用されている。
【０００３】
このような床目地装置を設置する所に、左右の躯体の壁目地部を覆う壁面用目地装置を設置すると、床用目地プレートの先端部が上方へ回動しながらスライド移動すると、壁面用目地装置の壁面用目地プレートが床用目地プレートによって押し上げられ、損傷する。
このため、壁面用目地プレートの下端部を上方へスライド移動するスライドカバーを設置することも考えられている。
【０００４】
しかし、このスライドカバーには平衡な押し上げ力が加わるのではなく、床用目地プレートの先端部側に押し上げ力が加わるため、大きな遊びを設けないとスムーズには上方へのスライド移動ができず、見苦しくなり、壁面用目地装置の価値を低減させてしまうという欠点があり、壁面用目地装置の価値を低減しないように遊びを小さく設定すると、床用目地プレートの上方への移動時にスライドカバーが壁面用目地プレートとかじって、スムーズに移動せず、損傷させるという欠点があった。
【先行技術文献】
【特許文献】
【０００５】
【特許文献１】特許第３５９４９０６号公報
【特許文献２】特許第３２２８７１０号公報
【発明の概要】
【発明が解決しようとする課題】
【０００６】
本発明は以上のような従来の欠点に鑑み、床用目地プレートが傾斜状態で上方へ移動しても、壁面用目地装置が損傷するのを効率よく阻止することができるとともに、壁面用目地装置が見苦しくなることなく、壁面用目地プレートにスライドカバーを設置でき、かつスライドカバーの一端部に押し上げ力が加わっても、他端部も一端部と同様に上方へ移動させて、かじってスムーズに移動できなくなったりするのを阻止できる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は目地部を介して設けられた左右の躯体の床目地部を覆う床目地部が、地震で狭くなるように揺れ動くと先端部が上方へ回動して、その揺れ動きを吸収する床用目地プレートを用いた床用目地装置と、前記左右の躯体の壁面間の壁目地部を覆う壁面用目地プレートを用いた壁面用目地装置とを備える目地装置において、前記壁面用目地装置を、下端部を除く壁目地部を覆う壁面用目地プレート本体と、この壁面用目地プレート本体の下部の壁目地部を覆い、かつ下端部が前記床用目地プレート上に位置する、該壁面用目地プレート本体にスライド移動可能に取付けられたスライドカバーと、このスライドカバーの前記床用目地プレートの先端部側の一端部が上方へ押し上げられると、他端部も同じように上方へ移動させることができるとともに、該一端部の押し上げがなくなると自重で降下させることができるように、前記壁面用目地プレート本体に取付けられた吊り上げ機構とで目地装置を構成している。
【発明の効果】
【０００９】
以上の説明から明らかなように、本発明にあっては次に列挙する効果が得られる。
（１）請求項１により、地震で床用目地装置の床用目地プレートの先端部が上方へ押し上げられても、壁面用目地装置のスライドカバーが吊り上げ機構によって、ほぼ平行状態で壁面用目地プレート本体を上方へスライド移動させることができる。
したがって、従来のようにかじったりすることなく、スムーズに移動させることができる。
（２）前記（１）によって、壁面用目地装置の壁面用目地プレート本体に対して、スライドカバーが吊り上げ機構でスムーズに上方へ押し上げることができるので、従来のように壁面用目地プレート本体とスライドカバーとの間に大きな遊びがなくてもスムーズに移動できるため、スマートの設置することができ、美観の向上を図ることができる。
（３）前記（１）により、設置されている床用目地装置がどんな構造のものであっても、壁面用目地装置を設置することができる。
したがって、設置を容易に行なうことができる。
（４）請求項２も前記（１）〜（３）と同様な効果が得られるとともに、一対のガイド筒、一対のガイド軸、滑車とワイヤーで構成された吊り上げ機構を用いているので、構造が簡単で、容易に設置することができる。
（５）請求項３、４も前記（１）〜（４）と同様な効果が得られるとともに、タイルや石材の壁面材を用いた壁面用目地プレート本体を使用することができる。。
【図面の簡単な説明】
【００１０】
【図１】本発明を実施するための第１の形態の平面図。
【図２】図１の２−２線に沿う断面図。
【図３】図１の３−３線に沿う断面図。
【図４】壁面用目地装置の説明図。
【図５】地震で目地部が狭くなる時の床用目地装置の説明図。
【図６】地震で目地部が狭くなる時の壁面用目地装置の説明図。
【図７】地震で目地部が広くなる時の床用目地装置の説明図。
【図８】地震で目地部が広くなる時の壁面用目地装置の説明図。
【図９】地震で異なる前後方向の動作説明図。
【図１０】本発明を実施するための第２の形態の平面図。
【図１１】図１０の１１−１１線に沿う断面図。
【図１２】図１０の１２−１２線に沿う断面図。
【図１３】本発明を実施するための第３の形態の平面図。
【図１４】図１３の１４−１４線に沿う断面図。
【図１５】図１３の１５−１５線に沿う断面図。
【図１６】本発明を実施するための第４の形態の平面図。
【図１７】図１６の１７−１７線に沿う断面図。
【図１８】図１６の１８−１８線に沿う断面図。
【図１９】本発明を実施するための第５の形態の平面図。
【図２０】図１９の２０−２０線に沿う断面図。
【図２１】図１９の２１−２１線に沿う断面図。
【図２２】本発明を実施するための第６の形態の平面図。
【図２３】図２２の２３−２３線に沿う断面図。
【図２４】図２２の２４−２４線に沿う断面図。
【図２５】本発明を実施するための第7の形態の平面図。
【図２６】図２５の２６−２６線に沿う断面図。
【図２７】図２５の２７−２７線に沿う断面図。
【図２８】本発明を実施するための７形態の地震で目地部が狭くなる時の壁面用目地装置の説明図。
【発明を実施するための形態】
【００１１】
以下、図面に示す本発明を実施するための形態により、本発明を詳細に説明する。
【００１２】
図１ないし図９に示す本発明を実施するための第１の形態において、１は床目地部２および壁目地部３を介して設けられた左右の躯体４、４間を覆う本発明の目地装置で、この目地装置１は前記床目地部２を覆う床用目地プレート１０を用いた床用目地装置５と、前記壁目地部３を覆う壁面用目地プレート１７を用いた壁面用目地装置６とで構成されている。
【００１３】
前記床用目地装置５は前記左右の躯体４、４の目地部側の一方の床面４ａに形成された目地プレート支持凹部７と、この目地プレート支持凹部７と対応する目地部側の他方の床面４ａに形成された反目地部側が傾斜面８で、かつ前記床目地部２の幅寸法Ｌとほぼ同じ幅寸法に形成された目地プレートスライド支持凹部９と、この目地プレートスライド支持凹部９に先端部が支持され、後端部が前記目地プレート支持凹部７に支持された上面が、前記左右の躯体４、４の床面４ａ、４ａと同一面となる床用目地プレート１０と、この床用目地プレート１０の先端部が上方へ回動しながら移動できるように、該床用目地プレート１０の後端部を前記目地プレート支持凹部７に取付ける目地プレート取付具１１、１１と、前記床用目地プレート１０の先端部にヒンジ部材１２を介して取付けられたカバープレート１３とで構成されている。
【００１４】
前記壁面用目地装置６の壁面用目地プレート１７は後端部がヒンジ部材１６、１６を介して前記一方の躯体４の開口端部の目地部側壁面４ｂに取付けられ、先端部が前記他方の躯体４の目地部側壁面４ｂと所定量重なり合う前記床用目地プレート１０側の下部を除く部位の前記壁目地部３を覆う長方形状のフレーム２０ａ、このフレーム２０ａに固定されたタイルや石材を用いた壁面材２０ｂで構成された壁面用目地プレート本体２０と、この壁面用目地プレート本体２０の下部に上下方向にスライド移動可能に取付けられた、該壁面用目地プレート本体２０の下部を覆う上部が開口した箱状のスライドカバー２３と、このスライドカバー２３の前記床用目地プレート１０の先端部側の一端部が上方へ押し上げられると、他端部も同じように上方へ移動させることができるとともに、該一端部の押し上げがなくなると自重で降下させることができるように、前記壁面用目地プレート本体２０に取付けられた吊り上げ機構２４と、前記壁面用目地プレート本体２０の先端部を常時前記他方の躯体４の目地部側壁面４ｂへ付勢する付勢スプリング２５と、前記壁面用目地プレート本体２０の先端部が内側へ侵入するのを阻止するストッパー２５ａとで構成されている。
【００１５】
前記吊り上げ機構２４はこのスライドカバー２３の底面より外方に突出するように形成された取付け片２３ａと、この取付け片２３ａの両側の上面に垂直状態となるように下端部が固定された一対のガイド筒２６、２６と、この一対のガイド筒２６、２６にスライド移動可能に下端部が挿入され、前記壁面用目地プレート本体２０の背面に前記スライドカバー２３のスライド移動ができるように取付けられた取付け板４１に上端部が取付けられた一対のガイド軸２７、２７と、前記スライドカバー２３の一端部側の前記ガイド筒２６の上部に固定されたワイヤー固定金具２８と、このワイヤー固定金具２８より下部位置の前記取付け板４１に取付けられた第１の滑車２９と、この第１の滑車２９の上部位置の前記取付け板４１に取付けられた第２の滑車３０と、この第２の滑車３０と同一高さで、かつ前記他端部側のガイド筒２６の上部位置の前記取付け板４１に取付けられた第３の滑車３１と、一端部が前記ワイヤー固定金具２８に取付けられ、前記第１の滑車２９、前記第２の滑車３０、前記第３の滑車３１を介して、前記他端部側のガイド筒２６の上部に取付けられた他方のワイヤー固定金具３２に取付けられたワイヤー３３とで構成されている。
【００１６】
上記構成の目地装置１は、通常時には図１および図２に示すように左右の躯体４、４間の床目地部２は、床用目地装置５の床用目地プレート１０で覆われるとともに、壁面４ｂ、４ｂ間の壁目地部３は壁面用目地装置６の壁面用目地プレート１７で覆われた状態となっている。
【００１７】
地震で左右の躯体４、４間の床目地部２と壁目地部３が、図５および図６に示すように狭くなるように揺れ動くと、床用目地装置５の床用目地プレート１０の先端部が目地プレートスライド支持凹部９の傾斜面８に沿って上方へ回動しながらスライド移動する。
【００１８】
このため、壁面用目地プレート１７のスライドカバー２３の一端部が床用目地プレート１０の先端部によって、上方へ押し上げられるが、この時、吊り上げ機構２４のワイヤー３３が第１の滑車２９、第２の滑車３０、第３の滑車３１を介して他端部のガイド筒２６を持ち上げるように移動して、ほぼ水平状態でスライドカバー２３が上方へ移動して、従来のようにかじったりして動作不良となるのを阻止でき、その揺れ動きを、壁面用目地装置６を損傷することなく吸収することができる。
【００１９】
地震の揺れ動きが停止し、床目地部２、壁目地部３が元の状態に戻ると、スライドカバー２３の自重によって、自動的に元の状態へ戻る。
【００２０】
地震で左右の躯体４、４の床目地部２と壁目地部３が、図７および図８に示すように広くなるように揺れ動くと、床用目地装置５の床用目地プレート１０の先端部側が目地プレートスライド支持凹部９上をスライド移動するとともに、壁面用目地装置６の壁面用目地プレート１７の先端部が他方の躯体４の目地部側壁面４ｂ上をスライド移動して、その揺れ動きを吸収する。
【００２１】
なお、壁面用目地プレート１７は付勢スプリング２５とストッパー２５ａとで、先端部が必要以上に回動しないので、揺れ動きが停止すると、自動的に元の状態へ戻る。
【００２２】
地震で左右の躯体４、４が異なる前後方向に揺れ動いた場合には、図９に示すように壁面用目地装置６の壁面用目地プレート１７の先端部が前方向に回動してその揺れ動きを吸収するが、その回動できる範囲はストッパー２５ａに当接するまでの範囲となる。    
【００２３】
[発明を実施するための異なる形態]
次に、図１０ないし図２８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１０ないし図１２に示す本発明を実施するための第２の形態において、前記本発明を実施するための第１の形態と主に異なる点は、他方の目地部側壁面４ｂに反目地部側が傾斜面１４に形成された壁面プレートスライド支持凹部１５を形成し、該壁面プレートスライド支持凹部１５を覆う先端部が傾斜面１７ａに形成した壁面用目地プレート本体２０Ａを用いるとともに、この、壁面用目地プレート本体２０Ａの下端部をスライド移動する傾斜面２３ａと第１の滑車２９部分が入り込む切り欠き２９ａを有するスライドカバー２３Ａと、一対のガイド軸２７、２７、第１の滑車２９、第２の滑車３０、第３の滑車３１を壁面用目地プレート本体２０Ａのフレーム２０ａに取り付けた吊り上げ機構２４Aを取付けた壁面用目地プレート１７Ａを用いた壁面用目地装置６Ａにした点で、このような壁面用目地装置６Ａを用いて構成した、目地装置１Ａにしても前記本発明を実施するための第1の形態と同様な作用効果が得られる。
【００２５】
図１３ないし図１５に示す本発明を実施するための第３の形態において、前記本発明を実施するための第１の形態と主に異なる点は、背面板１８が複数本のビス１９で取付けられた金属板を用いて箱状に形成した壁面用目地プレート本体２０Ｂと、この壁面用目地プレート本体２０Ｂの下部に上下方向にスライド移動可能に取付けられた、上部が開口した背面板２１が複数本のビス２２で取付けられた箱状のスライドカバー２３Ｂと、このスライドカバー２３Ｂの内底面に一対のガイド筒２６、２６を取付け、壁面用目地プレート本体２０Ｂの内壁面に一対のガイド軸２７、２７、第１の滑車２９、第２の滑車３０、第３の滑車３１を取付け吊り上げ機構２４Ｂを取付けた壁面用目地プレート１７Ｂを用いた壁面用目地装置６Ｂにした点で、このような壁面用目地装置６Ｂを用いて構成した目地装置１Ｂにしても前記本発明を実施するための第1の形態と同様な作用効果が得られる。
【００２６】
図１６ないし図１８に示す本発明を実施するための第４の形態において、前記本発明を実施するための第１の形態と主に異なる点は、底面が開口１７ａする壁面用目地プレート本体２０Ｃと、この壁面用目地プレート本体２０Ｃの底面開口１７ａより内部へスライド移動できるように取付けられた第１の滑車２９部分が入り込む切り欠き２９ａが形成されたスライドカバー２３Ｃを用いるとともに、壁面用目地プレート本体２０Ｃの内壁面に一対のガイド軸２７、２７の上部を固定する取付け板４１を用いた吊り上げ機構２４Ｃを取付けた壁面用目地プレート１７Ｃを用いた壁面用目地装置６Ｃにした点で、このような壁面用目地装置６Ｃを用いて構成した目地装置１Ｃにしても前記本発明を実施するための第1の形態と同様な作用効果が得られる。
【００２７】
図１９ないし図２１に示す本発明を実施するための第５の形態において、前記本発明を実施するための第１の形態と主に異なる点は、壁目地部３側の壁面４ｂ、４ｂを覆うことができる長方形状の壁面用目地プレート本体２０Ｄとスライドカバー２３Ｄとからなる壁面用目地プレート１７Ｄを用いるとともに、該壁面用目地プレート１７Ｄの壁面用目地プレート本体２０Ｄ部位の背面中央部に中央枢支部３５が枢支され、両端部が壁目地部側の壁面４ｂ、４ｂにヒンジ部材３６、３６で取付けられた複数個の伸縮リンクを用いた中央維持機構３７、３７を用いて取付けた壁面用目地装置６Ｄを用いた点で、このような壁面用目地装置６Ｄを用いて構成した目地装置１Ｄにしても、前記本発明を実施するための第１の形態と同様な作用効果が得られる。
【００２８】
図２２ないし図２４に示す本発明を実施するための第６の形態において、前記本発明を実施するための第１の実施の形態と主に異なる点は、第１の滑車２９と他方のワイヤー固定金具３２の中間の上部位置になるように壁面用目地プレート本体２０の内壁面に第２の滑車３０を設けた吊り上げ機構２４Ｄを用いた点で、このような吊り上げ機構２４Ｄを用いた壁面用目地装置６Ｄを使用した目地装置１Ｅにしても、同様な作用効果が得られる。
【００２９】
この実施例で、ガイド筒２６、２６を、よりスムーズにスライド移動させるために、ガイド筒２６、２６の先端部にガイド軸２７、２７と接触するローラを設けるとよい。
【００３０】
なお、中央維持機構３７、３７の中央枢支部３５、３５に枢支される壁面用目地プレート本体２０の中央部に固定された枢支ピン３８、３８は付勢スプリング３９、３９で中央維持機構３７、３７側へ付勢しておくことにより、左右の躯体４、４が異なる前後方向に揺れ動いても、損傷なく、その揺れ動きを吸収することができる。
【００３１】
図２５ないし図２８に示す本発明を実施するための第７の形態において、前記本発明を実施するための第５の形態と主に異なる点は、壁面用目地プレート本体２０Ｄの背面に吊り上げ機構２４を取付けた壁面用目地プレート１７Ｅを用い、この吊り上げ機構２４の外周部の壁面用目地プレート本体２０Ｄに傾斜面のカバー４０、４０を取り付けて、該吊り上げ機構２４を覆い、地震で壁目地部３が狭くなると図２７に示すようにカバー４０、４０で吊り上げ機構２４の損傷を防止することができる壁面用目地装置６Ｅを用いた点で、このような壁面用目地装置６Ｅを用いて構成した目地装置１Ｆにしても、前記本発明を実施するための第５の形態と同様な作用効果が得られる。
【００３２】
なお、、前記本発明を実施するための各形態ではワイヤー３３と第１の滑車２９、第２の滑車３０、第３の滑車３１、あるいは第１の滑車２９、第２の滑車３０を用いた吊り上げ機構２４、２４Ａ、２４Ｂについて説明したが、本発明はこれに限らず、ワイヤー３３の代わりにチエーンを用い、滑車の代わりにチエーンホイールを用いた吊り上げ機構を用いても同様な作用効果が得られる。
【産業上の利用可能性】
【００３３】
本発明は目地部を介して設けられた左右の躯体の床目地部と壁面間の目地部を覆う目地装置を製造する産業で利用することができる。
【符号の説明】
【００３４】
１、１Ａ、１Ｂ、１Ｃ、１Ｄ、１Ｅ、１Ｆ：目地装置、
２：床目地部、      ３：壁目地部、
４：躯体、          ５：床用目地装置、  
６、６Ａ、６Ｂ、６Ｃ、６Ｄ：壁面用目地装置、    
７：目地プレート支持凹部、
８：傾斜面、        Ｌ：床目地部の幅寸法、
９：目地プレートスライド支持凹部、
１０：床用目地プレート、    １１：目地プレート取付具、
１２：ヒンジ部材、      １３：カバープレート、
１４：傾斜面、
１５：壁面プレートスライド支持凹部、
１６：ヒンジ部材、      
１７、１７Ａ、１７Ｂ、１７Ｃ、１７Ｄ：壁面用目地プレート、
１８：背面板、      １９：ビス、
２０、２０Ａ、２０Ｂ、２０Ｃ、２０Ｄ：壁面用目地プレート本体、
２１：背面板、      ２２：ビス、
２３、２３Ａ、２３Ｂ、２３Ｃ、２３Ｄ：スライドカバー、
２４、２４Ａ、２４Ｂ、２４Ｃ、２４Ｄ：吊り上げ機構、
２５：付勢スプリング、    ２５ａ：ストッパー、
２６：ガイド筒、      ２７：ガイド軸、
２８：ワイヤー固定金具、    ２９：第１の滑車、
３０：第２の滑車、      ３１：第３の滑車、
３２：他方のワイヤー固定金具、  ３３：ワイヤー、
３４：幕板、        ３５：中央枢支部、
３６：ヒンジ部材、      ３７：中央維持機構、
３８：枢支ピン、      ３９：付勢スプリング、
４０：カバー、                ４１：取付け板。
【図１】
2014055444.tif 000003
【図２】
2014055444.tif 000004
【図３】
2014055444.tif 000005
【図４】
2014055444.tif 000006
【図５】
2014055444.tif 000007
【図６】
2014055444.tif 000008
【図７】
2014055444.tif 000009
【図８】
2014055444.tif 000010
【図９】
2014055444.tif 000011
【図１０】
2014055444.tif 000012
【図１１】
2014055444.tif 000013
【図１２】
2014055444.tif 000014
【図１３】
2014055444.tif 000015
【図１４】
2014055444.tif 000016
【図１５】
2014055444.tif 000017
【図１６】
2014055444.tif 000018
【図１７】
2014055444.tif 000019
【図１８】
2014055444.tif 000020
【図１９】
2014055444.tif 000021
【図２０】
2014055444.tif 000022
【図２１】
2014055444.tif 000023
【図２２】
2014055444.tif 000024
【図２３】
2014055444.tif 000025
【図２４】
2014055444.tif 000026
【図２５】
2014055444.tif 000027
【図２６】
2014055444.tif 000028
【図２７】
2014055444.tif 000029
【図２８】
2014055444.tif 000030